(57)【要約】【課題】地面に置かれた収穫物品を車両荷台上へ容易に積み込む、又は、容易に荷降ろしすることのできる車両用昇降装置を提供する。【解決手段】基台１から立設の支柱２に沿って上下昇降可能の昇降体３と、該昇降体３前方の物品４を載置する載置部５と、前記昇降体３を駆動する駆動装置６とを設けた昇降装置７を、車両等の荷台８の荷枠９外方に取着するに、前記支柱２と荷枠９とを支持フレーム１０で連結し、昇降装置７を片持ち状、且つ、地面から離間させて支持するとともに、前記載置部５を平面視荷台８外方へ向け突出させ、更に、該載置部５を上昇させた際、載置部５上面５ａが支柱２上端面２ａよりも高位に上昇可能に構成してなる車両用昇降装置とする。【選択図】図１
2005343229.tif 000002
【特許請求の範囲】
【請求項１】
基台（１）から立設の支柱（２）に沿って上下昇降可能の昇降体（３）と、該昇降体（３）前方の物品（４）を載置する載置部（５）と、前記昇降体（３）を駆動する駆動装置（６）とを設けた昇降装置（７）を、車両等の荷台（８）の荷枠（９）外方に取着するに、前記支柱（２）と荷枠（９）とを支持フレーム（１０）で連結し、昇降装置（７）を片持ち状、且つ、地面から離間させて支持するとともに、前記載置部（５）を平面視荷台（８）外方へ向け突出させ、更に、該載置部（５）を上昇させた際、載置部（５）上面（５ａ）が支柱（２）上端面（２ａ）よりも高位に上昇可能に構成してなる車両用昇降装置。
【請求項２】
支柱（２）上端面（２ａ）部に、載置部（５）に載置した物品（４）横移動の際、物品（４）底面部（４ｂ）を転動案内可能のローラ（１１）、又は、摺動案内可能の摺動部材（１２）を設けるとともに、載置部（５）を上昇させた際、載置部（５）上面（５ａ）を、該ローラ（１１）、又は、摺動部材（１２）の上端と略同高さ位置で自動的に上昇停止させることを特徴とする請求項１記載の車両用昇降装置。
【発明の詳細な説明】
【技術分野】
【０００１】
本発明は、運搬車やトラック等の荷台への物品積み降しに使用する車両用昇降装置に関するものである。
【背景技術】
【０００２】
特許文献１には、トラック等の車両の荷台パネル（荷枠）に装着し、荷物の荷台への荷積み、あるいは荷台からの荷降ろし作業を簡易、確実に行うことのできる昇降装置が記載されている。
【特許文献１】特開平７−２９１０１８号公報
【発明の開示】
【発明が解決しようとする課題】
【０００３】
この昇降装置は、作業者が載置部に置いた荷物を昇降駆動させるものであるが、載置部を上限まで上昇させた際に、載置部よりも車両荷台側に位置する支柱が載置部上面よりも高位になるため、車両荷台上の作業者が載置部の荷物を引き寄せる場合、又は、荷台側の荷物を昇降装置の載置部へ載せる場合に支柱上端部が邪魔になるという問題があった。コンテナ等の容器を車両荷台へ積み込む際は、載置部上面とそれよりも高い支柱上端面との間に段差が形成され、車両荷台上の作業者は、載置部上の荷物を一且支柱上端面までの高さ以上に持ち上げて、荷物を手前側に引き寄せることが必要であり、作業者への負担も大きいものであった。
一方、にんじん、玉ネギ、イモ等のコンテナ収穫においては、収穫物をコンテナに入れながら圃場に置いておいた後、軽四トラックを圃場内に乗り入れて、地面のコンテナを人力でトラック荷台上へ持ち上げて積み込みを行っているが、この積み込み作業を更に容易に行うことのできる車両用昇降装置が望まれている。
本発明は、地面に置かれた物品を車両荷台上へ容易に持ち上げることができ、荷台上の作業者も載置部の物品を自分側に容易に引き寄せることのできる車両用の昇降装置を提供することを課題とする。
【課題を解決するための手段】
【０００４】
基台１から立設の支柱２に沿って上下昇降可能の昇降体３と、該昇降体３前方の物品４を載置する載置部５と、前記昇降体３を駆動する駆動装置６とを設けた昇降装置７を、車両等の荷台８の荷枠９外方に取着するに、前記支柱２と荷枠９とを支持フレーム１０で連結し、昇降装置７を片持ち状、且つ、地面から離間させて支持するとともに、前記載置部５を平面視荷台８外方へ向け突出させ、更に、該載置部５を上昇させた際、載置部５上面５ａが支柱２上端面２ａよりも高位に上昇可能に構成してなる車両用昇降装置とする。
又、支柱２上端面２ａ部に、載置部５に載置した物品４横移動の際、物品４底面部４ｂを転動案内可能のローラ１１、又は、摺動案内可能の摺動部材１２を設けるとともに、載置部５を上昇させた際、載置部５上面５ａを、該ローラ１１、又は、摺動部材１２の上端と略同高さ位置で自動的に上昇停止させる車両用昇降装置の構成とする。
【発明の効果】
【０００５】
請求項１に記載の発明は、昇降装置７を車両等の荷台８の荷枠９外方に取着するに、支柱２と荷枠９とを支持フレーム１０で連結し、昇降装置７を片持ち状、且つ、地面から離間させて支持してあるので、車両等を圃場内へ乗り入れて、走行停止を繰り返しながら収穫物の収集積み込みを容易に行うことができる。又、載置部５を平面視荷台８外方へ向け突出させてあるので、地面に置かれた収穫物の載置部５への搭載が容易である。
更に、載置部５を上昇させた際には、載置部５上面５ａが支柱２上端面２ａよりも高位に上昇可能に構成してあるので、載置部５を上昇させた時に支柱２上端部が上方に突出することがなく、車両荷台８側の作業者が載置部５上の物品を容易に手前まで引き寄せることができる。
尚、上記は車両荷台８への物品４の積み込みについて説明したが、荷台８側から物品４を荷降ろしする場合にも積み込みと同様に、容易に物品４を降ろすことが可能である。
【０００６】
請求項２に記載の発明は、支柱２上端面２ａ部に、載置部５に載置した物品４横移動の際、物品４底面部４ｂを転動案内可能のローラ１１、又は、摺動案内可能の摺動部材１２を設けるとともに、載置部５を上昇させた際、載置部５上面５ａを、支柱２上端に設けたローラ１１、又は、摺動部材１２の上端と略同高さ位置で自動的に上昇停止させるので、支柱２上端に設けたローラ１１や摺動部材１２上で物品４を軽い力で横移動させることが可能であり、載置部５上限高さでの、載置部５からの物品４の引き寄せ、又は、載置部５への物品４の搭載を容易に行うことが可能となり、作業者の負担が軽減されるとともに、載置部５上面５ａがローラ１１や摺動部材１２上端と同高さ位置で自動的に上昇停止するので作業効率が良い。
【発明を実施するための最良の形態】
【０００７】
本発明の実施の形態について、車両荷台８の左横枠９Ｌに昇降装置７を取着した車両用昇降装置を例に説明する。
基台１から立設した支柱２の内、前方開き断面コの字状の後側支柱２Ｒの後方から支持フレーム１０を突設し、上側支持フレーム１０を起立状態の横枠９に係合して昇降装置７を地面から離間させた状態で片持ち状に取着してある。下側の支持フレーム１０は補強部材であり、左横枠９Ｌの剛性の高い下端部に当接させて、支柱２を鉛直状態に保持するためのものである。
後側支柱２Ｒ前方に並設した角パイプ形状の前側支柱２Ｆには、この前側支柱２Ｆに沿って上下昇降自在の昇降体３を設け、該昇降体３の前方にはコンテナ等の物品４を載置する載置部５を設けてある。該載置部５は、昇降体３の前方、且つ、昇降体３よりも高位に設け、該昇降体３を上限位置まで上昇させた際は、支柱２の上端面２ａと載置部５の上面５ａが略同高さか、もしくは、載置部５上面５ａの方が高位にまで上昇可能に構成してある。
【０００８】
角パイプ形状の前側支柱２Ｆを囲う昇降体３の前側上下２ヶ所と後側上部には、つば付ロール１５を回転自在に軸架し、該昇降体３は前側支柱２Ｆの前後面に沿って転動案内される。
前側支柱２Ｆと後側支柱２Ｒとは、上端部と下端部で各々連結してあり、この上端部と下端部には従動スプロケット１６と駆動スプロケット１７を枢支してある。従動スプロケット１６と駆動スプロケット１７との間にはチェン１８を巻回し、チェン１８の一端は昇降体３の後部に上方から連結し、該チェン１８の他端は昇降体３下部に連結してある。駆動スプロケット１７にはモータＭを取着し、車載のバッテリ１９によってモータＭが駆動されて昇降体３を昇降させることができる。
後側支柱２Ｒの左右一側には、昇降体３の上限位置と下限位置を検出する上限リミットスイッチ２０と下限リミットスイッチ２１を設け、昇降体３後部から後方へ向け突出するリミットカム２２によって上限リミットスイッチ２０と下限リミットスイッチ２１が作動する。２３は、モータＭを起動する起動スイッチであり、２４はモータＭ制御用のコントローラである。
尚、昇降体３を上下昇降駆動させる構成は、モータＭ及びチェン１８を用いた構成に限定するものではなく、電動シリンダーや油圧シリンダー等のアクチュエータで代用させることも可能である。
又、昇降体３を駆動するモータＭの電源は、車載のバッテリ１９に限定するものではなく、昇降装置７専用のバッテリや、発電機による電源供給により駆動することもできる。
【０００９】
支柱２の上端面２ａ部には複数のローラ１１を設けてあり、車両荷台８上の作業者から遠い位置となる荷台８外方から上昇する物品４を、物品４の底面部４ｂをローラ１１によって転動案内させながら、作業者が自分の側へ物品４を容易に引き寄せることが可能である。この時、載置部５の上面５ａはローラ１１の上端と略同高さ位置で自動的に停止され、載置部５上面５ａと支柱２上端とに段差がないため、作業者は物品４を一旦持ち上げることもなく、物品４の引き寄せを軽い力で容易に行うことができ、車両荷台８上の積み込み作業性がよい。
尚、ローラ１１は図６に示すように摺動部材１２を用いることも可能であり、本実施例においては支柱２上端面２ａに丸パイプ材を固着した構成にしてある。この摺動部材１２は、樹脂等の板状のものでもよく、ローラコンベア等を取着してもよい。
【００１０】
次に車両荷台８に取着した昇降装置７による積み込み作業形態について図３を参照に説明する。２５は根菜類等の収穫を行った後の圃場であり、軽四車両２６を圃場内へ乗り入れて、収穫物の入ったコンテナ２７を軽四車両２６に積み込む作業形態である。収穫作業は圃場の畝に沿って行い、収穫物はコンテナ２７内に入れ、このコンテナ２７は畝沿いに放置しておく。その後、軽四車両２６を収穫後の圃場に乗り入れて、軽四車両２６の走行とコンテナ２７の積み込みを繰り返しながら積み込み作業を行う。図３においては、荷台８の左荷枠９Ｌに昇降装置７を取着してあり、軽四車両２６左側のコンテナ２７を昇降装置７の載置部５へ載置し、載置部５を荷台８上方に上昇させて、荷台８上の作業者が順次コンテナ２７の配列積み込みを行うことができる。従って、軽四車両２６をあらかじめ収穫物の入ったコンテナ２７に接近させて、コンテナ２７の収集作業を行うことで、コンテナ２７を荷台８上方に持ち上げるという重労働は昇降装置７が行い、作業者の負担が大きく軽減される。
尚、昇降装置７は上方から荷枠９に緩嵌している構成であるため、荷枠９をレールとして荷枠９の長手方向に容易にスライドさせることができる。又、図４に示すように、後枠９Ｂに取着することも可能であり、様々な積み込み、又は、荷降ろし作業に対応することが可能である。
【００１１】
図５に示すのは、基台１から立設する支柱２を門型形状に構成したものであり、この構成も前述の前、後に並設する支柱２Ｆ，２Ｒの構成と同様に、昇降体３の載置部５上面５ａが、支柱２上端面２ａよりも高い位置まで上昇させることができる。従って、載置部５に載置したコンテナ２７を荷台８上に立つ作業者が自分側へ引き寄せる際に、支柱２の上端面２ａが突出していないので、容易にコンテナ２７を引き寄せることが可能である。
【００１２】
図７に示すのは、昇降体３の載置部３下面５ｂを、支柱２上端面２ａよりも高い位置に上昇させた際、荷枠９外方に突出する載置部５を支柱２上方位置まで水平回動可能に構成したものである。この水平回動は、載置部５を昇降体３に枢支することによって行われる。枢支部３０は、載置部５後端の左右中央部に設け、載置部５を最上限位置に上昇させた場合にのみ、その水平回動を可能に構成し、又、回動させた際には載置部５が下降することがないよう規制する規制手段を設けてある。規制手段はリミットスイッチ等により昇降駆動用のモータＭが作動しないよう規制してある。
載置部３は枢支部３０を中心に左右両側に向け水平回動が可能であり、作業者は載置部５上の物品４を、支柱２の左右両側から自分の側に引き寄せることが容易になる。
尚、載置部５の水平回動構成については図８のａ，ｂに示すようにリンク機構Ｈやスライド機構Ｓ等を用いて、支柱２上に載置部５を移動させるように構成しても良い。
又、載置部５を荷台８上の作業者が自分側へ引き寄せ、載置部５から物品４を降ろした際には、載置部５が昇降体３の前方位置に自動復起するよう構成することが好ましい。
【図面の簡単な説明】
【００１３】
【図１】昇降装置を荷枠に取着した断背面図。
【図２】昇降装置を荷枠に取着した側面図。
【図３】積み込み作業を示す平面図。
【図４】積み込み作業を示す平面図。
【図５】別実施例の昇降装置の側面図。
【図６】昇降装置の要部側面図。
【図７】別実施例の載置部を示す要部側面図。
【図８】別実施例の載置部を示す要部平面図。
【符号の説明】
【００１４】
１    基台
２    支柱
２ａ  上端面
３    昇降体
４    物品
５    載置部
５ａ  上面
６    駆動装置
７    昇降装置
８    荷台
９    荷枠
１０    支持フレーム
１１    ローラ
１２    摺動部材
【図１】
2005343229.tif 000003
【図２】
2005343229.tif 000004
【図３】
2005343229.tif 000005
【図４】
2005343229.tif 000006
【図５】
2005343229.tif 000007
【図６】
2005343229.tif 000008
【図７】
2005343229.tif 000009
【図８】
2005343229.tif 000010